(57)【要約】【課題】衣服だけの外観を視認可能にする衣服用ハンガーを提供すること。【解決手段】衣服用ハンガー１は、調整可能な間隔で配置される一対の衣服保持手段と、各衣服保持手段と回動可能に接続され、互いの距離が調整可能に構成されている一対の棒状の接続手段と、一対の衣服保持手段及び／または接続手段と接続される透明な紐状の吊り下げ手段と、を有し、衣服を掛けた状態において、衣服保持手段及び接続手段は、外部から視認不可能に構成されている。【選択図】図４
2018086053.tif 000002
【特許請求の範囲】
【請求項１】
調整可能な間隔で配置される一対の衣服保持手段と、
各前記衣服保持手段と回動可能に接続され、互いの間の距離が調整可能に構成されている一対の棒状の接続手段と、
前記一対の衣服保持手段及び／または前記接続手段と接続される透明な紐状の吊り下げ手段と、
を有し、
衣服を掛けた状態において、前記衣服保持手段及び前記接続手段は、外部から視認不可能に構成されている衣服用ハンガー。
【請求項２】
一対の前記接続手段は、距離の調整が可能な前記端部とは反対側の端部近傍において、互いを回動可能に接続する軸部を有する請求項１に記載の衣服用ハンガー。
【請求項３】
一方の前記接続手段は円筒形状の棒状部材であり、他方の前記接続手段は、前記円筒形状の棒状部材の内部に挿入され、双方の前記接続手段は、互いに摺動可能に接続されている請求項１に記載の衣服用ハンガー。
【発明の詳細な説明】
【技術分野】
【０００１】
本発明は、衣服用ハンガーに関する。
【背景技術】
【０００２】
従来、樹脂製のハンガーが使用されている（例えば、特許文献１）。
【先行技術文献】
【特許文献】
【０００３】
【特許文献１】特許５５４４５９０号公報
【発明の概要】
【発明が解決しようとする課題】
【０００４】
ハンガーの基本的な機能は、衣類を効率的に保管したり、衣類のしわや型崩れを防ぐことであるが、衣服を販売したり展示する店舗などにおいては、ハンガーに吊るされた衣服の外観が、見る人を惹きつけ、販売に影響を与える重要な要素である。ここで、衣服だけの外観を視認可能にするのが望ましく、ハンガーが見えないのが好ましい場合がある。例えば、ウェブサイトにおける衣服の展示においては、従来、衣服をハンガーに吊るした状態でデジタルカメラで撮影し、その後、画像からハンガーを消去する作業が行われていた。この作業は、時間がかかるうえ、衣服の形状や模様によっては、きれいに消去するのが困難な場合がある。
【０００５】
本発明はかかる問題の解決を試みたものであり、衣服だけの外観を視認可能にする衣服用ハンガーを提供することを目的とする。
【課題を解決するための手段】
【０００６】
第一の発明は、調整可能な間隔で配置される一対の衣服保持手段と、各前記衣服保持手段と回動可能に接続され、互いの間の距離が調整可能に構成されている一対の棒状の接続手段と、前記一対の衣服保持手段及び／または前記接続手段と接続される透明な紐状の吊り下げ手段と、を有し、衣服を掛けた状態において、前記衣服保持手段及び前記接続手段は、外部から視認不可能に構成されている衣服用ハンガーである。
【０００７】
第一の発明の構成によれば、衣服保持手段及び接続手段によって、ハンガー本体が構成され、衣服を掛けた状態において、衣服保持手段及び接続手段は、外部から視認不可能になっている。そして、透明な吊り下げ手段がフック部として機能するから、衣服を掛けた状態において、衣服だけの外観が視認可能になる。
【０００８】
第二の発明は、第一の発明の構成において、一対の前記接続手段は、距離の調整が可能な前記端部とは反対側の端部近傍において、互いを回動可能に接続する軸部を有する衣服用ハンガーである。
【０００９】
第三の発明は、第一の発明の構成において、一方の前記接続手段は円筒形状の棒状部材であり、他方の前記接続手段は、前記円筒形状の棒状部材の内部に挿入され、双方の前記接続手段は、互いに摺動可能に接続されている衣服用ハンガーである。
【発明の効果】
【００１０】
本発明によれば、衣服だけの外観を視認可能にする衣服用ハンガーを提供することができる。
【図面の簡単な説明】
【００１１】
【図１】本発明の第一の実施形態に係る衣服用ハンガーの概略図である。
【図２】肩支持部の間隔を広げた状態の衣服用ハンガーの概略図である。
【図３】固定部材等を示す概略図である。
【図４】衣服用ハンガーに衣服（上着、トップ）を掛けた状態の概略図である。
【図５】本発明の第二の実施形態に係る衣服用ハンガーの概略図である。
【図６】衣服用ハンガーに衣服（上着）を掛けた状態の概略図である。
【図７】本発明の第三の実施形態に係る衣服用ハンガーの概略図である。
【図８】衣服用ハンガーに衣服（上着）を掛けた状態の概略図である。
【図９】本発明の第四の実施形態に係る衣服用ハンガーの概略図である。
【図１０】腰支持部の間隔を広げた状態の衣服用ハンガーの概略図である。
【図１１】一対の丸棒部の接続状態を示す概略図である。
【図１２】衣服用ハンガーに衣服（ボトム）を掛けた状態の概略図である。
【発明を実施するための形態】
【００１２】
以下、本発明を実施するための形態（以下、実施形態）について詳細に説明する。以下の説明においては、同様の構成には同じ符号を付し、その説明を省略又は簡略する。なお、当業者が適宜実施できる構成については説明を省略し、本発明の基本的な構成についてのみ説明する。
【００１３】
＜第一の実施形態＞
図１乃至図４は、本発明の第一の実施形態に係る衣服用ハンガー１（以下、「ハンガー１」という。）を示す図である。ハンガー１は、肩の部分を有する衣服用のハンガーであり、例えば、上半身に着用する衣服（上着、トップ）やコートなどを掛けるためのものである。ハンガー１において、紐１２以外の部分は、例えば、ステンレススティール（Ｓｔａｉｎｌｅｓｓ  ｓｔｅｅｌ）のＳＵＳ３０４やアルミニウム合金等の金属で形成される。
紐１２は、例えば、透明な樹脂製のモノフィラメントであり、テグスと呼ばれることもある。紐１２の素材としては、例えば、ポリアミド（ｐｏｌｙａｍｉｄｅ）、ポリエステル（ｐｏｌｙｅｓｔｅｒ）、ポリエチレン（ｐｏｌｙｅｔｈｙｌｅｎｅ）、フロロカーボン（ｆｌｕｏｒｏ  ｃａｒｂｏｎ）などが使用される。
【００１４】
図１及び図２に示すように、ハンガー１は、一対の肩支持部２Ｌ及び２Ｒを有する。肩支持部２Ｌ及び２Ｒは、衣服の肩部の形状を崩さずに保持するように、衣服の肩部に合うように、外側が下方に湾曲しており、さらに、矢印ＺＬ、ＺＲ方向に回動し、角度を調整できるように構成されている。肩支持部２Ｌ及び２Ｒには、肩支持部２Ｌ及び２Ｒが対向する側に、それぞれ、小孔（図示せず）が形成されており、紐１２を固定することができるようになっている。肩支持部２Ｌ及び２Ｒの表面には、滑り止め用の部材（図示せず）が配置されている。滑り止め用の部材は、例えば、シリコーンゴムや天然ゴムのカバーでもよいし、液状のシリコーンゴムを吹き付けて被膜として形成したものでもよい。
【００１５】
肩支持部２Ｌには、略コの字型に形成された固定部材４Ｌが接続されている。固定部材４Ｌには、棒状部材８Ｌが接続されている。固定部材４Ｌの下部近傍は貫通孔（図示せず）が形成されている。肩支持部２Ｒには、固定部材４Ｌと同様に構成された固定部材４Ｒが配置されている。固定部材４Ｒには棒状部材８Ｒが接続されている。
【００１６】
棒状部材８Ｌは、幅広板部８Ｌａ、丸棒部８Ｌｂ及び固定部材８Ｌｃで構成される。幅広板部８Ｌａの上端近傍には貫通孔（図示せず）が形成されている。固定部材８Ｌｃの下端近傍には貫通孔（図示せず）が形成されている。固定部材８Ｌｃの構成は、上述の固定部材４Ｌ及び４Ｒと同様である。棒状部材８Ｒは、幅広板部８Ｒａ、丸棒部８Ｒｂ及び幅広板部８Ｒｃで構成される。幅広板部８Ｒａの上端部近傍及び幅広板部８Ｒｃの下端部近傍には貫通孔が形成されている。
【００１７】
固定部材４Ｌには、棒状部材８Ｌが、六角螺子部６Ｌによって、回動可能に接続されている。同様に、固定部材４Ｒには、棒状部材８Ｒが、六角螺子部６Ｒによって、回動可能に接続されている。棒状部材８Ｌと棒状部材８Ｒは、六角螺子部１０によって、回動可能に接続されており、互いの距離が調整可能になっている。肩支持部２Ｌ及び２Ｒにおいて、互いに対向する側の端部近傍には、透明な紐１２が接続されている。一対の肩支持部２Ｌ及び２Ｒは、調整可能な間隔で配置される一対の衣服保持手段の一例である。棒状部材８Ｌ及び８Ｒは、一対の棒状の接続手段の一例である。六角螺子部１０は軸部の一例である。紐１２は、透明な紐状の吊り下げ手段の一例である。なお、本実施形態とは異なり、紐１２は、棒状部材８Ｌ及び８Ｒに接続していてもよい。
【００１８】
図３（ａ）は固定部材４Ｌの概略斜視図、図３（ｂ）は固定部材４Ｌの概略平面図、図３（ｃ）は固定部材４Ｌと後述する棒状部材８Ｌの幅広板部８Ｌａとの接続状態を示す概略図である。図３（ｃ）に示す様に、固定部材４Ｌは、天井部４Ｌａに測板部４Ｌｂ及び４Ｌｃが接続されている。測板部４Ｌｂ及び４Ｌｃの下部近傍には貫通孔（図示せず）が形成されている。固定部材４Ｌの下部近傍の貫通孔と幅広板部８Ｌａの上端部近傍の貫通孔を六角螺子６Ｌａが貫通し、六角螺子６Ｌａの螺子部分は六角ナット６Ｌｂによって受けられる。六角螺子６Ｌａと六角ナット６Ｌｂによって六角螺子部６Ｌが構成されている。固定部材４Ｒと幅広板部８Ｒａの接続状態は、上述の固定部材４Ｌと幅広板部８Ｌａの接続状態と同様である。
【００１９】
固定部材８Ｌｃと幅広板部８Ｒｃは、六角螺子部１０によって回動可能に接続されている。その接続状態は、上述の固定部材４Ｌと幅広板部８Ｌａの接続状態と同様である。
【００２０】
固定部材４Ｌが、六角螺子部６Ｌを軸として、棒状部材８Ｌに対して矢印ＺＬ方向に回動する。これにより、肩支持部２Ｌが、棒状部材８Ｌに対して矢印ＺＬ方向に回動する。固定部材４Ｒが、六角螺子部６Ｒを軸として、棒状部材８Ｒに対して矢印ＺＲ方向に回動する。これにより、肩支持部２Ｒが、棒状部材８Ｒに対して矢印ＺＲ方向に回動する。
【００２１】
棒状部材８Ｌ及び８Ｒは、六角螺子部１０を軸に互いに矢印Ｘ方向に回動する。これにより、肩支持部２Ｌ及び２Ｒは、矢印Ｘ方向に回動する。
【００２２】
上述の構成によって、肩支持部２Ｌと２Ｒは、矢印ＺＬ方向、矢印ＺＲ方向、矢印Ｘ方向に回動する。肩支持部２Ｌと２Ｒは、掛ける衣服の形状によって、肩支持部２Ｌと２Ｒの間の幅を調整したり、衣服の肩部に肩支持部２Ｌと２Ｒの角度を合わせることができるようになっている。
【００２３】
図４は、ハンガー１に衣服１００が掛けられ、紐１２がフック３００に吊り下げられた状態を示す。ハンガー１において、紐１２以外は衣服１００の内部に隠れ、外部から視認できないので、点線で示している。衣服１００は、例えば、Ｔシャツである。棒状部材８Ｌ及び８Ｒの接続部分である六角螺子部１０は、ハンガー１に衣服１００を掛けたときに、衣服１００を正面視したときの中央部よりも下に位置するようになっている。そして、肩支持部２Ｌ及び２Ｒは、衣服１００の肩部の内側に位置し、棒状部材８Ｌ及び８Ｒは、衣服１００の前部開口よりも側方に位置するように構成されている。紐１２以外の部分は、衣服１００の外部からは視認できない。フック３００は、衣服１００から十分に離れた上方に配置することができるから、デジタルカメラで撮影するときに、カメラの視覚には入らない。そして、紐１２は透明であるから、やはり、外部から視認できず、デジタルカメラで撮影した場合に、加工処理を要することなく、衣服１００だけの外観が視認可能になる。なお、衣服の種類に応じて、肩支持部２Ｌ及び２Ｒは、適宜の形状や長さのものを採用することができる。例えば、襟付きの衣服用に、肩支持部２Ｌ及び２Ｒが対向する部分の長さを長くして、襟近傍まで支持することができるようにする。あるいは、ノースリーブやフレンチスリーブの衣服用に、肩支持部２Ｌ及び２Ｒが対向する側と逆側（外側）の部分を短くする。
【００２４】
＜第二の実施形態＞
図５及び図６を参照して、第二の実施形態について、第一の実施形態とは相違する部分についてのみ、説明する。第二の実施形態のハンガー１において、棒状部材８Ｌの長さ方向におけるやや上方部に紐通し用環８Ｌｄが形成されている点である。同様に、棒状部材８Ｒには紐通し用環８Ｒｄが形成されている。そして、紐１２は、紐通し用環８Ｌｄ及び紐通し用環８Ｒｄに接続されている。この構成により、紐１２が衣服の襟部に干渉する可能性を低減するようになっている。
【００２５】
＜第三の実施形態＞
図７及び図８を参照して、第三の実施形態について、第一の実施形態とは相違する部分についてのみ、説明する。棒状部材８Ｌの丸棒部８Ｌｂ、棒状部材８Ｒの丸棒部８Ｒｂは、部分円弧状に形成されている。この構成により、衣服１００の首回り（ネックライン）が大きく開いたデザインであっても、丸棒部８Ｌｂ及び丸棒部８Ｒｂが衣服１００の内部に隠れるから、外から見える可能性を低減するようになっている。
【００２６】
＜第四の実施形態＞
次に、図９乃至図１２を参照して、第四の実施形態について説明する。第一の実施形態と共通する構成については説明を省略し、第一の実施形態と異なる部分を中心に説明する。ハンガー５０は、ズボンやスカートなどの下半身用の衣服（ボトム）用のハンガーである。ハンガー５０は、一対の腰支持部５２Ｌ及び５２Ｒを有する。図９に示すように、腰支持部５２Ｌ及び５２Ｒは、上端部近傍及び下端部近傍が内側に湾曲した形状に形成されている。図９に示すように、腰支持部５２Ｌ及び５２Ｒをそれぞれ矢印Ｘ１方向及び矢印Ｘ２方向から見ると、略長方形の形状に形成されている。腰支持部５２Ｌには、２枚の板状部材を間隔を開けて構成した固定部材５４Ｌが配置されている。腰支持部５２Ｒには、固定部材５４Ｌと同様に構成された固定部材５４Ｒが配置されている。固定部材５４Ｌには、棒状部材５６Ｌが、六角螺子部５８Ｌによって、回動可能に接続されている。同様に、固定部材５４Ｒには、棒状部材５６Ｒが、六角螺子部５８Ｒによって、回動可能に接続されている。腰支持部５２Ｌ及び５２Ｒの表面には、滑り止め用の部材（図示せず）が配置されている。滑り止め用の部材は、例えば、シリコーンゴムや天然ゴムのカバーでもよいし、液状のシリコーンゴムを吹き付けて被膜として形成したものでもよい。
【００２７】
棒状部材５６Ｌは、２つの孔部５６Ｌｂが形成された幅広板部５６Ｌａ及び丸棒部５６Ｌｃで構成されている。棒状部材５６Ｒは、２つの孔部５６Ｒｂが形成された幅広板部５６Ｒａ及び丸棒部５６Ｒｃで構成されている。丸棒部５６Ｒｃは中空に形成され、中空部の直径は、丸棒部５６Ｌｃの外径よりもわずかに大きい。丸棒部５６Ｌｃは丸棒部５６Ｒｃに中空部に挿入され、矢印Ｙ方向に摺動するようになっている。すなわち、図９に示すように、腰支持部５２Ｌ及び５２Ｒの間の距離を短くすることができ、図１０に示すように、その距離を長くすることができる。図１１に示す様に、丸棒部５６Ｒｃの周壁を貫いて螺子６０が配置されており、螺子６０によって、丸棒部５６Ｒｃと丸棒部５６Ｌｃを所定の位置で固定することができる。これにより、腰支持部５２Ｌ及び５２Ｒの間の距離を調整して固定することができる。
【００２８】
２つの孔部５６Ｒｂの一方及び２つの孔部５６Ｌｂの一方には、透明な紐６２が接続されている。透明な紐６２の構成は、紐１２と同様である。一対の腰支持部５２Ｌ及び５２Ｒは、調整可能な間隔で配置される一対の衣服保持手段の一例である。棒状部材５６Ｌ及び５６Ｒは、一対の棒状の接続手段の一例である。紐６２は、透明な紐状の吊り下げ手段の一例である。
【００２９】
固定部材５４Ｌが、六角螺子部５８Ｌを軸として、棒状部材５６Ｌに対して矢印ＺＬ方向に回動する。これにより、腰支持部５２Ｌが、棒状部材５６Ｌに対して矢印ＺＬ方向に回動する。固定部材５４Ｒが、六角螺子部５８Ｒを軸として、棒状部材５６Ｒに対して矢印ＺＲ方向に回動する。これにより、腰支持部５２Ｒが、棒状部材５６Ｒに対して矢印ＺＲ方向に回動する。
【００３０】
棒状部材５６Ｌと５６Ｒは、上述のように、矢印Ｙ方向に摺動する。腰支持部５２Ｌと５２Ｒは、矢印ＺＬ方向、矢印ＺＲ方向に回動する。これにより、掛けるボトムの形状によって、腰支持部５２Ｌと５２Ｒの間の幅を調整したり、ボトムの腰部近傍の形状に腰支持部５２Ｌと５２Ｒの角度を合わせることができるようになっている。
【００３１】
図１２は、ハンガー５０にスカート２００を掛けた状態を示す。ハンガー５０において、紐６２以外は、スカート２００の内部に隠れ、外部から視認できないから、点線で示している。図１２に示すように、紐６２以外の部分は、スカート２００の外部からは視認できない。そして、紐６２は透明であるから、やはり、外部からほとんど視認できず、デジタルカメラで撮影した場合に、加工処理を要することなく、スカート２００だけの外観が視認できる。
【００３２】
なお、本発明は本実施形態に限定されるものではなく、本発明の目的を達成できる範囲での変形、改良等は本発明に含まれるものである。
【符号の説明】
【００３３】
１，５０    衣服用ハンガー
２Ｌ，２Ｒ，    肩支持部
８Ｌ，８Ｒ，５６Ｌ，５６Ｒ    棒状部材
５２Ｌ，５２Ｒ  腰支持部
１２，６２  紐
【図１】
2018086053.tif 000003
【図２】
2018086053.tif 000004
【図３】
2018086053.tif 000005
【図４】
2018086053.tif 000006
【図５】
2018086053.tif 000007
【図６】
2018086053.tif 000008
【図７】
2018086053.tif 000009
【図８】
2018086053.tif 000010
【図９】
2018086053.tif 000011
【図１０】
2018086053.tif 000012
【図１１】
2018086053.tif 000013
【図１２】
2018086053.tif 000014